(57)【要約】【課題】鍋洗浄装置に対する鍋のセット作業の作業性を改善すること。【解決手段】ハウジング１０４の上面に設けた投入口１０２から投入された鍋１１を、調理面１５を下方に向けて、奥側が手前側よりも下がった傾斜状態で鍋保持部１２１に保持させることができるようにし、鍋保持部１２１にセットされた鍋１１の調理面１５を、軸方向を鉛直よりも斜め後方に倒した噴射ノズル１３２から洗浄液を噴射して洗浄する。噴射ノズル１３２は、鍋１１の縁部よりも調理面１５の側に噴射口１３２ａを配置し、例えば１２０度の噴射角度で洗浄液を噴射する。投入口１０２から投入された鍋１１は、案内部１２２ｂによって、噴射ノズル１３２と干渉することなく鍋保持部１２１まで案内され、セットされる。【選択図】図４
2018068864.tif 000002
【特許請求の範囲】
【請求項１】
鍋を投入する投入口を上面に有するハウジングと、
前記投入口から投入された前記鍋を、調理用の内面側を下方に向けて奥側が手前側よりも下がった傾斜状態で保持する鍋保持部と、
前記鍋保持部に保持される前記鍋の内面の位置に向けて、軸方向を鉛直よりも斜め後方に倒されて配置された噴射ノズルから洗浄液を噴射する洗浄部と、
を備えることを特徴とする鍋洗浄装置。
【請求項２】
前記噴射ノズルの噴射口は、前記鍋保持部に保持される前記鍋の縁部よりも当該鍋の内面側となる位置に配置されている、
ことを特徴とする請求項１に記載の鍋洗浄装置。
【請求項３】
前記噴射ノズルの噴射角度は、１２０度である、
ことを特徴とする請求項２に記載の鍋洗浄装置。
【請求項４】
前記洗浄部は、
水道管に連結されて前記噴射ノズルに至る流路と、
前記流路に配置された開閉弁と、
を備え、前記開閉弁の開閉動作に応じて、前記水道管から供給される水道水の圧力によって前記噴射ノズルから水道水である前記洗浄液を噴射する、
ことを特徴とする請求項２又は３に記載の鍋洗浄装置。
【請求項５】
前記投入口から投入された鍋を、前記噴射ノズルと干渉させることなく前記鍋保持部に案内する案内部を備える、
ことを特徴とする請求項２ないし４のいずれか一に記載の鍋洗浄装置。
【請求項６】
前記ハウジングに設けられた確認窓と、
前記確認窓に連絡し、前記鍋保持部に保持された前記鍋の内面に噴射されて落下する使用済みの洗浄液を受け止めて外部に排水する排水受けと、
前記確認窓を介して前記排水受けに着脱自在の濾し器と、
を備えることを特徴とする請求項１ないし５のいずれか一に記載の鍋洗浄装置。
【請求項７】
前記濾し器は、奥側よりも手前側が下がった傾斜状態で前記排水受けに配置される、
ことを特徴とする請求項６に記載の鍋洗浄装置。
【請求項８】
前記鍋保持部への鍋のセットを検出する検出部と、
前記検出部が鍋のセットを検出すると、前記洗浄部に洗浄動作を実行させる制御部と、
を備えることを特徴とする請求項１ないし７のいずれか一に記載の鍋洗浄装置。
【請求項９】
前記制御部は、鍋の洗浄完了を推定して前記洗浄部の洗浄動作を停止する、
ことを特徴とする請求項８に記載の鍋洗浄装置。
【請求項１０】
調理台と、
前記調理台の下方に配置された請求項１ないし９のいずれか一に記載の鍋洗浄装置と、
を備え、前記調理台の下面と前記鍋洗浄装置の前記投入口との間に、鍋を投入するための距離が確保されている、
ことを特徴とする鍋洗浄装置組込み調理台。
【発明の詳細な説明】
【技術分野】
【０００１】
本発明は、鍋の内面に洗浄液を噴射して洗浄するための鍋洗浄装置、及びこの鍋洗浄装置を調理台に組み込んだ鍋洗浄装置組込み調理台に関する。
【背景技術】
【０００２】
従来、鍋を洗浄する鍋洗浄装置が案出され、製品化もなされている。
【０００３】
例えば特許文献１には、調理台に組み込んだ鍋洗浄装置が記載されている。
この鍋洗浄装置は、調理台のフロントパネルに下端支点で開閉自在の前面扉を設けておき、この全面扉の裏側に鍋をセットできるようにしたもので、前面扉を閉じるとやや上向きにセットされる鍋の内面を、回転する洗浄ブラシによって洗浄するようにしたものである（特許文献１の段落［００１０］［００１１］［００１３］、図２、図３参照）。鍋の内面に対して温水をシャワー状に供給する構造も備え、鍋の内面に付着した残物をシャワー流によって落とすことができるようにもなっている。
【０００４】
特許文献２は、特許文献１に記載されているような洗浄ブラシを使用することなく、ノズルから噴射する洗浄液のみによって鍋の内面を洗浄する鍋洗浄装置を開示する（特許文献２の段落［００１６］参照）。
ノズルは鍋の縁部よりも鍋底に近い位置から洗浄液を噴射する位置に配置され、回転と首振りとによって、「球状ないし球帯状の洗浄範囲を実現することが可能となる」と紹介されている（特許文献２の段落［００１９］参照）。
ドア（特許文献１の「前面扉」に対応）の裏面に鍋をセットできるようにし、ドアを閉じると鍋が洗浄位置に位置付けられる点は特許文献１に記載された鍋洗浄装置と共通しているが、特許文献２に記載の装置では、ドアが閉じられると鍋は鉛直に立てられ、この状態で洗浄に供せられる（図１、図４参照）。
【０００５】
特許文献３も、特許文献２と同様に、ノズルから噴射する洗浄液のみによって鍋の内面を洗浄する鍋洗浄装置を開示している（特許文献３の段落［００１６］［００３０］、図２、図３参照）。
ただし鍋のセット構造及びセット状態は特許文献１、２と異なり、伏せた状態で、つまり内面を下方に向けて鍋をセットする。したがって鍋の内面を洗浄するための洗浄液を噴射するノズル（下側噴射ノズル）は、セットされる鍋の下方に配置され、上方に向けて洗浄液を噴射する。
このようなノズルは、セットされる鍋の中心を挟んで一対設けられ、特許文献２に記載の鍋洗浄装置とは異なり、鍋底に対して鍋の縁部よりも遠い位置から洗浄液を噴射する。
【先行技術文献】
【特許文献】
【０００６】
【特許文献１】特開平０６−０３０８７８号公報
【特許文献２】特開２０００−１９７６０２号公報
【特許文献３】特開２０１２−２５４１６７号公報
【発明の概要】
【発明が解決しようとする課題】
【０００７】
特許文献１に記載された発明は、洗浄ブラシを直接鍋の内面に接触させて汚れを落とす仕組みなので、鍋の損傷を招くという問題を有している。また鍋の内面に形成された油膜をすっかり落としてしまうことも望ましくない。
これに対して特許文献２、３に記載された発明は、洗浄液の噴射流のみによって洗浄を行うため、鍋の損傷や油膜落ちの問題が生じない。
【０００８】
ところが特許文献１〜３に記載された発明はいずれも、鍋のセット作業の作業性が悪いという問題を有している。
特許文献１、２に記載された発明は、下端支点で開閉する前面扉（特許文献２では「ドア」）の裏面に鍋をセットするという構造上、鍋を斜め上方から差し込むようにしてセットできる点では作業性が良好である。その反面、鍋をセットするに際して前面扉の開閉動作が不可欠であることから、そのための作業が煩わしく、作業性が悪い。
特許文献３に記載された発明は、鍋をセットするための投入口に、特許文献１、２に記載された前面扉よりは小さいながらも扉（特許文献３の符号「１１」）を備えている。このため片手で扉を開いたまま鍋をセットしなければならないので、特許文献１、２に記載された発明以上に鍋のセット作業がわずらわしく、作業性に劣る。
しかも特許文献３に記載された発明は、伏せた状態の鍋を水平に持ったまま、鍋をセットするための狭い空間内を水平に移動させなければならない。このため鍋を斜め上方から差し込むようにしてセットできる特許文献１、２に記載された発明と比べて、鍋のセットに際して大きな力が必要となり、この面からも作業性が悪い。
【０００９】
こうした鍋のセット作業の作業性の悪さは、鍋洗浄装置の実際の使用態様に思いを馳せると、いかに大きな問題であるのかを容易に理解することができる。
つまり鍋洗浄装置は、一般家庭というよりはむしろ、飲食物を提供する店舗においての使用を前提としている（例えば特許文献３の段落［０００２］参照）。このため鍋の洗浄頻度が高く、その都度大きな前面扉を開け閉めしたり（特許文献１、２参照）、扉を片手で開いたまま水平状態に維持した鍋を水平に移動させたりする（特許文献３参照）という動作は、ボディブローのようにじわじわ効いてきて、作業者に疲労を蓄積させてしまうのである。
【００１０】
この問題は、一食ごとに鍋を使用する調理方法が主流となりつつある飲食業界の実情を考慮すると、より深刻度を増してくる。というのは、近年、パスタ専門店やカレー専門店、皿うどん専門店などの店舗においては、調理済みの野菜や肉などの食材を予め含んだレトルト食品を温めて顧客に提供する形態から、一食毎に調理したものを顧客に提供する形態へと、調理の形態を変化させてきているからである。
例えばパスタ専門店であれば、香味野菜、ソース、茹で上げたパスタ、具材を鍋で合せて加熱し、一食分のパスタ料理を完成させる。
カレー専門店では、カレーのルーを定量レードル（おたま）で取って鍋に入れ、辛味調味料とトッピング（調理済みの肉、魚介、野菜などの具材）とを合わせて加熱し、一食分のカレーを完成させる。
皿うどん専門では、スープベースと具材とを鍋で合せて麺とともに加熱し、水溶き片栗粉を加えてとろみをつけ、一食分の皿うどんを完成させる。
このとき重要なことは、一つの鍋を用いて異なる種類の料理を調理するという都合上、一食の料理が完成するごとに鍋をきちんと洗浄しなければならない、ということである。例えばパスタ専門店であれば、トマトソースベースのナポリタンを調理したら、次はホワイトソースベースのカルボナーラを調理し、その次にはオイルベースのボンゴレを調理する、というようなことが繰り返される。カレー専門店の場合にも、マイルド味の野菜カレーを調理したら、次はホット味のマトンカレーを調理し、その次にはクリーム入りのチキンカレーを調理する、というようなことが繰り返される。
しかも効率化の観点から、一食分の料理を完成させた後、調理に使用した鍋は直ちに洗浄に供され、その間にも別の鍋で次の料理の調理を開始する、というオペレーションが一般化してきている。このため調理、鍋の洗浄、調理、鍋の洗浄、調理、鍋の洗浄……という作業が延々と繰り返されることになる。
したがって近年、パスタ専門店やカレー専門店、皿うどん専門店などの店舗では鍋の使用頻度が激増しており、鍋洗浄装置の作業性の良し悪しは、僅かな差でも、作業者の作業負担に大きな影響を与えることになるのである。
【００１１】
本発明は、このような点に鑑みなされたもので、鍋洗浄装置に対する鍋のセット作業の作業性を改善することを目的とする。
【課題を解決するための手段】
【００１２】
本発明の鍋洗浄装置は、鍋を投入する投入口を上面に有するハウジングと、前記投入口から投入された前記鍋を、調理用の内面側を下方に向けて奥側が手前側よりも下がった傾斜状態で保持する鍋保持部と、前記鍋保持部に保持された前記鍋の内面に向けて、軸方向を鉛直よりも斜め後方に倒されて配置された噴射ノズルから洗浄液を噴射する洗浄部と、を備えることによって上記課題を解決する。
本発明の鍋洗浄装置組込み調理台は、調理台と、前記調理台の下方に配置された前記鍋洗浄装置とを備え、前記調理台の下面と前記鍋洗浄装置の前記投入口との間に、鍋を投入するための距離が確保されている、ことによって上記課題を解決する。
【発明の効果】
【００１３】
本発明によれば、投入口に対して、調理用の内面側を下方に向けて奥側が手前側よりも下がった傾斜状態で投入し、そのまま鍋保持部に保持させることができ、その状態のまま鍋を洗浄することができるので、鍋のセット作業に際して開閉扉の開閉動作を必要とすることなく、また人間の骨格上作業負担が少ない前下がりの状態で鍋を鍋保持部にセットすることができ、したがって鍋のセット作業の作業性を改善し、作業者の作業負担を減らすことができる。
【図面の簡単な説明】
【００１４】
【図１】鍋洗浄装置の実施の一形態を示す正面側から見た斜視図。
【図２】背面側から見た斜視図。
【図３】カウンターの下に設置された鍋洗浄装置の正面図。
【図４】カウンターの下に設置された鍋洗浄装置の内部の構造を示す模式図。
【図５】鍋保持部及び鍋案内部を示す斜視図。
【図６】鍋を保持する鍋保持部を示す斜視図。
【図７】濾し器の斜視図。
【図８】制御部の電気的接続を示すブロック図。
【図９】制御部の処理手順を示すフローチャート。
【発明を実施するための形態】
【００１５】
鍋洗浄装置１０１及び鍋洗浄装置組込み調理台２０１の実施の一形態を図面に基づいて説明する。
説明は、次の項目に沿って行う。
１．鍋
２．鍋洗浄装置の外観構成
３．鍋洗浄装置の内部構成
（１）内部空間
（２）鍋保持部
（３）洗浄部
（４）排水部
（５）制御部
４．鍋洗浄装置組込み調理台の構成
５．作用効果
６．変形例
【００１６】
１．鍋
本実施の形態では、鍋洗浄装置１０１によって洗浄される鍋１１として、片手フライパンを想定している。したがって鍋１１は、鍋としての機能を果たす鍋本体１２に、ハンドル１３を固定した形態を有している（図１、図３、図４、図６参照）。
鍋本体１２はアルミニウムによって形成され、鍋底に鉄板１４が嵌め込まれている（図６参照）。このような鍋１１は、全体が鉄製の鍋よりも軽量でありながら、鉄板１４が鍋底に嵌め込まれたことによって、ＩＨクッキングヒータを用いたレンジでの使用も可能である。
本実施の形態の鍋洗浄装置１０１は、洗浄に供する鍋１１として、予め決められた大きさ及び形状のものの使用を前提としている。このような鍋１１を標準鍋１１Ｓと呼び、鍋１１（標準鍋１１Ｓ）の内面を調理面１５と呼ぶ。調理面１５は、フッ素コーティングされている。
【００１７】
２．鍋洗浄装置の外観構成
図１〜図３に示すように、本実施の形態の鍋洗浄装置１０１は、鍋１１を投入するための投入口１０２を上面に有し、四脚の脚部１０３によって支持されたハウジング１０４に各部を組み込んでいる。
ハウジング１０４は全体が板金によって製作され、背面側の上部部分に後方側にオーバーハングする後部カバー１０５を有している。後部カバー１０５は投入口１０２よりも上方に延出し、投入口１０２の後縁側と両側縁後方側とを覆っている。したがって投入口１０２の縁部と後部カバー１０５の縁部とによって鍋１１を投入する開口領域が画されている。これらの投入口１０２の縁部と後部カバー１０５の縁部とには樹脂製のガード１０６がねじ止めされ、投入される鍋１１とハウジング１０４との双方を衝突による衝撃から保護している。
【００１８】
ハウジング１０４の前面パネル１０４ａには、電源スイッチ１０７、パイロットランプ１０８、操作部カバー１０９、及び確認窓１１０が設けられている。
電源スイッチ１０７は、鍋洗浄装置１０１のメイン電源を入り切りするための操作スイッチであり、前面パネル１０４ａの右側に配置されている。
パイロットランプ１０８は、電源スイッチ１０７による電源投入時に点灯する表示ランプで、電源スイッチ１０７の上方に配置されている。
操作部カバー１０９は、前面パネル１０４ａに着脱自在に取り付けた板金のカバーであり、取り外すことによって操作盤（図示せず）を露出させる。
確認窓１１０は、正面から見て左側に寄せて前面パネル１０４ａに設けられた開口部であり、濾し器１１１（図７参照）の着脱を可能とする。濾し器１１１は、鍋１１を洗浄した後の洗浄液（水道水）を透過し、鍋１１に付着していた残菜を捕捉するもので、確認窓１１０は、濾し器１１１が捕捉した残菜を外部から確認し得る大きさに形成されている。
【００１９】
図２に示すように、鍋洗浄装置１０１は、ハウジング１０４の背面側の下部部分から排水管１１２を水平に延出させており（図４も参照）、この排水管１１２には蛇腹状の排水ホース１１３を接続させている。
排水ホース１１３の自由端は、鍋洗浄装置１０１が設置される施設の排水設備（図示せず）に差し込まれたり、落とし込まれたりする。
【００２０】
図３に示すように、鍋洗浄装置１０１は、ハウジング１０４の下面から給水管１１４を延出させている。給水管１１４は、給水ホース（図示せず）を介して、鍋洗浄装置１０１が設置される施設の水道管（図示せず）に直結される。
【００２１】
３．鍋洗浄装置の内部構成
図４に示すように、ハウジング１０４に組み込まれている各部は、鍋保持部１２１、洗浄部１３１、排水部１４１及び制御部１５１である。
【００２２】
（１）内部空間
図４に示すように、ハウジング１０４の内部は三つの部屋に区切られている。鍋保持室Ａ、排水室Ｂ及び配管制御室Ｃである。
ハウジング１０４の内部は板金製の第１の仕切り板１１５によって上方空間ＵＳと下方空間ＬＳとに区切られ、鍋保持室Ａは上方空間ＵＳに、排水室Ｂは下方空間ＬＳに、配管制御室Ｃは上方空間ＵＳと下方空間ＬＳとにまたがり、それぞれ配置されている。
排水室Ｂは、第１の仕切り板１１５の直下に固定された平べったい矩形筐体状の第２の仕切り板１１６の内部に位置している。第２の仕切り板１１６は、確認窓１１０の幅とほぼ同程度の幅を持ち、正面から見て左側に寄った確認窓１１０に対応する位置に配置されている。したがって排水室Ｂは、下方空間ＬＳの全体を占めるわけではなく、第１の仕切り板１１５の直下において、確認窓１１０に対応する左側に寄った領域を占めるにすぎない。
配管制御室Ｃは、上方空間ＵＳ内においては、その手前側の下部をさらに仕切るＬ字形に直角に屈曲する板金製の第３の仕切り板１１７によって区切られた空間内に、そして下方空間ＬＳ内においては、排水室Ｂ以外の空間内に位置している。第３の仕切り板１１７は、上方空間ＵＳの幅一杯を占め、垂直な背面と水平な上面とによって上方空間ＵＳの内部を完全に区切っている。
【００２３】
（２）鍋保持部
鍋保持部１２１は、鍋保持室Ａに配置され、投入口１０２から投入された鍋１１を、調理用の内面側を下方に向けて奥側が手前側よりも下がった傾斜状態で保持する。このような鍋１１の保持は、ハウジング１０４の内部に固定された鍋保持ワイヤ１２２によって達成される。
図５に示すように、鍋保持ワイヤ１２２は、投入口１０２の前方部分に水平状態でハウジング１０４に取り付けられる基部１２２ａに、投入口１０２に投入された鍋１１を案内する案内部１２２ｂと、この案内部１２２ｂの先端部分に連結固定されたストッパ部１２２ｃと、このストッパ部１２２ｃに連結固定されて左右対称にコの字形状に拡がる規制部１２２ｄとが連結固定されて形成されている。これらの各部は、すべて金属製のワイヤを折り曲げて形成したもので、それぞれが溶接によって固定されている。
【００２４】
基部１２２ａは、エンドレスにつないだワイヤを矩形形状に折り曲げたもので、両端が直角に屈曲している。これらの屈曲部分は、投入口１０２の近傍でハウジング１０４の内部左右両側に設けられたコの字形状のアーム１２３（図１参照）に差し込まれ、これによって鍋保持ワイヤ１２２がハウジング１０４に着脱自在に取り付けられる。
このとき基部１２２ａの屈曲した両端が僅かに押し広げられた状態でアーム１２３に差し込まれるように各部の寸法を管理することで、鍋保持ワイヤ１２２は、ハウジング１０４に対して十分な取り付け強度で固定される。
【００２５】
案内部１２２ｂは、基部１２２ａと同様に、エンドレスにつないだワイヤを矩形形状に折り曲げたもので、ハウジング１０４に取り付けた基部１２２ａから先端下がりとなるように配置されている。これによって鍋１１の姿勢を、奥側が手前側よりも下がった傾斜状態にすることが可能となる。
図４、図５に示すように、案内部１２２ｂは、基部１２２ａとの連結部分側と先端部分側との間が斜め上方に向けて屈曲され、側面から見て山形形状に形成されている。これは、後述する洗浄部１３１の噴射ノズル１３２に干渉しないように、投入口１０２から投入された鍋１１を鍋保持ワイヤ１２２に案内するための工夫である（図４参照）。
【００２６】
ストッパ部１２２ｃは、コの字形状に折り曲げたワイヤの両端を案内部１２２ｂの先端近傍に固定したもので、投入口１０２に投入された鍋１１の先端部を塞き止める。ストッパ部１２２ｃの上部は、鍋本体１２の厚み寸法とほぼ同程度の寸法の位置で手前側に一度折り返され、さらにその先端側が鉛直となるようにもう一度折り返されている。
図４、図６に示すように、ストッパ部１２２ｃに塞き止められた鍋１１は、その先端部がストッパ部１２２ｃの折り返し部分に嵌まり込む。
【００２７】
規制部１２２ｄは、基部１２２ａ及び案内部１２２ｂと同様に、エンドレスにつないだワイヤを矩形形状に折り曲げ、さらにコの字形状に折り曲げたもので、図６に示すように、鍋１１の両側部を位置決めする。
【００２８】
（３）洗浄部
洗浄部１３１は、鍋保持室Ａと配管制御室Ｃとにまたがって配置され、鍋保持部１２１に保持される鍋１１の内面の位置に向けて、噴射ノズル１３２から洗浄液を噴射する。
図４に示すように、噴射ノズル１３２は、軸方向を鉛直よりも斜め後方に倒されて配置されている。噴射ノズル１３２の位置及び角度は、鍋保持部１２１に標準鍋１１Ｓを正しくセットしたとき、鍋１１の中心軸と噴射ノズル１３２の軸とが一致し、かつ、噴射口１３２ａが標準鍋１１Ｓの縁部よりも調理面１５の側に配置されるように設定されている。
このような配置上、噴射ノズル１３２の噴射口１３２ａと鍋底との間の距離が相対的に短くなるので、噴射ノズル１３２としては、現状では噴射角度が最も広角の１２０度に噴射するタイプのものの使用が望ましい。もちろん１２０度というのは一つの例示であり、この角度に限るわけではない。１２０度以外の例えば１１５度や１１０度などの噴射角度を持つ噴射ノズル１３２を用いても良いし、１２０度を超えた噴射角度を持つ噴射ノズルが開発されれば、そのようなものを用いることも差し支えない。
【００２９】
洗浄部１３１における洗浄液の噴射の仕組みは、水道管直結方式である。
つまり噴射ノズル１３２は、連結管１３３を介して給水管１１４に連結されている。連結管１３３は一本の管ではなく、鍋保持室Ａと配管制御室Ｃとに配置された複数本の管が連結されて構成されている。
前述したとおり、給水管１１４は給水ホース（図示せず）を介して水道管（図示せず）に直結している。そこで給水ホース、給水管１１４及び連結管１３３は、水道管に連結されて噴射ノズル１３２に至る流路ＷＰを形成し、噴射ノズル１３２に水道水の圧力を加える。噴射ノズル１３２は、こうして加えられる圧力によって、水道水を洗浄液とする噴射動作を行うわけである。
【００３０】
（４）排水部
排水部１４１は、排水室Ｂと配管制御室Ｃとにまたがって配置され、鍋保持部１２１に保持された鍋１１の調理面１５に噴射されて落下する使用済みの洗浄液（水道水）を受け止め、外部に排水する。
使用済みの洗浄液を受け止めるための構造として、排水部１４１は、第１の仕切り板１１５に、鍋保持室Ａと排水室Ｂとを連絡する連絡孔１１８を形成している。これにより、鍋保持室Ａで発生した使用済みの洗浄液は、連絡孔１１８を通って排水室Ｂに落下し、第２の仕切り板１１６の内面で受け止められる。したがって第２の仕切り板１１６の内面は、落下する使用済みの洗浄液を受け止める排水受け１４２となる。排水受け１４２は、その底面が確認窓１１０の下縁よりもやや下方に位置付けられている。
使用済みの洗浄液を外部に排水するための構造として、排水部１４１は、排水管１１２を配管制御室Ｃに這い回し、第２の仕切り板１１６の下面に固定して排水受け１４２と連絡している。これにより、排水受け１４２が受け止めた洗浄液は、排水管１１２から排水ホース１１３を通り、鍋洗浄装置１０１が設置される施設の排水設備（図示せず）に排水される。
【００３１】
排水部１４１は、濾し器１１１を備えている。
図７に示すように、濾し器１１１は、平べったい矩形筐体状の枠体１４３の底部に、複数個の濾し孔１４４が規則的に開けられたパンチングメタルからなる底板１４５を固定し、一辺に把手１４６を取り付けたものである。このような濾し器１１１は、把手１４６を把持したときの奥行方向の寸法が排水受け１４２の奥行寸法よりもやや小さく、幅方向の寸法が確認窓１１０の幅寸法よりもやや小さく形成されている。したがって排水受け１４２に対して、確認窓１１０から濾し器１１１を着脱することが可能となる。
図４に示すように、排水室Ｂの内部には、排水受け１４２の奥行方向中央部分よりもやや奥側位置させて、排水受け１４２の底面から浮かせた位置に支持棒１４７が固定されている。支持棒１４７は排水受け１４２の幅方向に沿って平行に配置され、両端を第２の仕切り板１１６の両側面に固定されている。
したがって確認窓１１０から排水受け１４２に濾し器１１１を差し入れたとき、濾し器１１１は奥側よりも手前側が下がった傾斜状態で配置される（図４参照）。
【００３２】
（５）制御部
前述したとおり、洗浄部１３１は、水道管直結方式で噴射ノズル１３２から洗浄液となる水道水を噴射する。このため必要なときにのみ洗浄液を噴射することができるように、噴射制御が必要となる。これを実現するのが制御部１５１である。
制御部１５１は、鍋保持部１２１への鍋１１のセットを検出する検出部１６１の検出結果を参照し、噴射ノズル１３２に至る流路ＷＰに配置した開閉弁としての電磁弁１７１を駆動制御する。
【００３３】
検出部１６１は、図４に示すように、鍋保持室Ａの内部において鍋保持ワイヤ１２２の下方に位置付けられ、揺動自在に配置された検出片１６２と、この検出片１６２を検出する磁気スイッチ１６３とを備えている。
検出片１６２は、エンドレスにつないだ金属製のワイヤを矩形に折り曲げ、中央部分をヘの字形に屈曲させたもので、屈曲部分に金属製の支軸（図示せず）を固定している。支軸は鍋洗浄装置１０１の幅方向に沿って水平に配置され、第３の仕切り板１１７の上面に固定された支持片１６４に回転自在に保持されている。これによって検出片１６２は、支軸を中心に揺動する。
検出片１６２は、磁石（図示せず）を有する磁石辺１６２ａを手前側に、当接辺１６２ｂを先端側にそれぞれ備えており、初期状態としては、磁石辺１６２ａの側の自重によって当接辺１６２ｂが跳ね上げられるバランスで支持片１６４に保持されている。このとき磁石辺１６２ａは、第３の仕切り板１１７の上面近傍に位置付けられ、跳ね上げられた当接辺１６２ｂは、鍋保持ワイヤ１２２における案内部１２２ｂに塞き止められている（図４中、実線で示す）。
このような初期状態において、当接辺１６２ｂは、案内部１２２ｂと規制部１２２ｄとの間に位置付けられており、鍋保持部１２１に保持される鍋１１の縁部に干渉する。このため鍋保持部１２１に鍋１１が保持されると、鍋１１の縁部が当接辺１６２ｂに当接して押し下げ、検出片１６２を揺動させる。すると今度は磁石辺１６２ａが跳ね上げられ、第３の仕切り板１１７の上面近傍から離反する（図４中、仮想線で示す）。
磁気スイッチ１６３は、配管制御室Ｃにおいて、初期状態における磁石辺１６２ａのすぐ裏側に位置させて、第３の仕切り板１１７の内側に配置されている。そこで磁気スイッチ１６３は、磁石辺１６２ａの位置変化に応じて出力を変化させることから、鍋保持部１２１への鍋１１のセットを検出することが可能となる。
【００３４】
電磁弁１７１は、制御部１５１によって駆動制御可能な電磁バルブであり、連結管１３３の途中に接続され、配管制御室Ｃ内に配置されている。
【００３５】
図８に示すように、制御部１５１は、各種演算処理を実行して各部を集中的に制御する演算部１５２にメモリ１５３を接続したもので、メモリ１５３に格納されているプログラムにしたがった処理を実行する。
演算部１５２には、検出部１６１の磁気スイッチ１６３、電磁弁１７１、そして操作部１５４が入出力装置１５５を介して接続されている。操作部１５４は、操作部カバー１０９を開くことで露出する操作盤（図示せず）に搭載される入力デバイスである。
【００３６】
図９に示すように、制御部１５１は、鍋１１のセット判定に待機している（ステップＳ１０１）。つまり磁気スイッチ１６３の出力を参照し、検出片１６２の磁石辺１６２ａが離反したときの磁気スイッチ１６３の出力をもって、鍋１１が鍋保持部１２１にセットされたと判定する。
【００３７】
制御部１５１は、鍋保持部１２１への鍋１１がセットを判定すると（ステップＳ１０１のＹＥＳ）、電磁弁１７１を駆動制御して「開」状態とし（ステップＳ１０２）、噴射ノズル１３２に至る流路ＷＰを開く。これによって噴射ノズル１３２に水道水の圧力がかかり、噴射ノズル１３２から水道水が噴射する。噴射した水道水は洗浄液となり、鍋保持部１２１にセットされた鍋１１の調理面１５を洗浄する。このとき噴射ノズル１３２は、１２０度の広角で水道水を噴射するため、調理面１５に噴射口１３２ａが入り込んでいるにもかかわらず、調理面１５の全面に洗浄液が行き渡る。
【００３８】
制御部１５１は、ステップＳ１０２の処理に続いてタイマをスタートさせ、タイムアップしたかどうかを判定する（ステップＳ１０３）。
このときのタイムアップ時間は、噴射ノズル１３２から水道水を噴射させる時間であり、操作部１５４によって所望の時間に設定可能である。操作部１５４は、操作部カバー１０９を開くことによって露出し、操作が可能となる。タイムアップ時間は、例えば６秒程度に設定される。
制御部１５１は、タイムアップを判定したならば（ステップＳ１０３のＹＥＳ）、電磁弁１７１を駆動制御して「閉」状態とし（ステップＳ１０４）、噴射ノズル１３２に至る流路ＷＰを閉じる。つまり制御部１５１は、鍋１１の洗浄完了を推定して洗浄部１３１の洗浄動作を停止するわけである。これによって噴射ノズル１３２からの水道水の噴射が止まり、鍋保持部１２１にセットされた鍋１１の洗浄作業が完了する。
【００３９】
４．鍋洗浄装置組込み調理台の構成
図３、図４に示すように、飲食店などの施設の壁面Ｗに寄せて床面ＦＬに調理台２０２が設置され、この調理台２０２の下方に鍋洗浄装置１０１が設置されて、鍋洗浄装置組込み調理台２０１が構成されている。
鍋洗浄装置組込み調理台２０１においては、調理台２０２の天板２０３と鍋洗浄装置１０１の投入口１０２との間に、鍋１１を投入することができるだけの距離Ｌが確保されている（図３参照）。
距離Ｌは、例えば２５０ｍｍ以上確保されていることが望ましい。例えば調理台２０２の高さが８００ｍｍで、天板２０３の厚みが５０ｍｍであるとすると、鍋洗浄装置１０１の投入口１０２の高さを５００ｍｍ程度にすることで、距離Ｌを２５０ｍｍ以上確保することができる。
こうして調理台２０２の天板２０３の下面と鍋洗浄装置１０１の投入口１０２との間の距離Ｌを、鍋１１を投入することができるだけの寸法、例えば２５０ｍｍ以上確保することができるのであれば、調理台２０１をいかなる用途に使用することも可能である。例えば鍋洗浄装置１０１のすぐ上方に、ＩＨクッキングヒータを設置するようにしてもよい。
【００４０】
５．作用効果
以上説明したとおり、本実施の形態の鍋洗浄装置１０１は、鍋１１を投入する投入口１０２を上面に有するハウジング１０４と、投入口１０２から投入された鍋１１を、調理用の内面（調理面１５）側を下方に向けて奥側が手前側よりも下がった傾斜状態で保持する鍋保持部１２１と、鍋保持部１２１に保持される鍋１１の調理面１５の位置に向けて、軸方向を鉛直よりも斜め後方に倒されて配置された噴射ノズル１３２から洗浄液を噴射する洗浄部１３１とを備える。
したがって投入口１０２に対して、調理用の内面側を下方に向けて奥側が手前側よりも下がった傾斜状態で鍋１１を投入し、そのまま鍋保持部１２１に保持させ、その状態のまま鍋１１を洗浄することができる。これにより鍋１１のセット作業に際して開閉扉の開閉動作を必要とすることなく、また人間の骨格上作業負担が少ない前下がりの状態で鍋１１を鍋保持部１２１にセットすることができるので、鍋１１のセット作業の作業性を改善し、作業者の作業負担を減らすことができる。
【００４１】
本実施の形態の鍋洗浄装置１０１では、噴射ノズル１３２の噴射口１３２ａは、鍋保持部１２１に保持される鍋１１の縁部よりも当該鍋１１の内面側、つまり調理面１５の側となる位置に配置されているので、強力な洗浄作業を得ることができ、例えば水道水の水圧のみによっても十分な洗浄効果を得ることができる。その結果、噴射ノズル１３２から洗浄液を強制的に噴射させるための圧力ポンプなどの構造物が不要となり、構造の簡略化が図られる。
この場合、洗浄対象となる鍋１１の調理面１５と噴射ノズル１３２の噴射口１３２ａとの距離が短くなるため、噴射ノズル１３２の噴射角度は１２０度程度にすることが望ましい。こうして１２０度程度の噴射角度の噴射ノズル１３２を用いることで、鍋１１と噴射ノズル１３２と鍋１１とを相対移動させることなく、調理面１５の洗浄が可能となる。
【００４２】
本実施の形態の鍋洗浄装置１０１では、洗浄部１３１は、水道管に連結されて噴射ノズル１３２に至る流路ＷＰと、この流路ＷＰに配置された電磁弁１７１とを備え、電磁弁１７１の開閉動作に応じて、水道管から供給される水道水の圧力によって噴射ノズル１３２から水道水である洗浄液を噴射する。
したがって噴射ノズル１３２から洗浄液を強制的に噴射させるための圧力ポンプなどの構造物が不要となり、構造の簡略化を図ることができる。
【００４３】
本実施の形態の鍋洗浄装置１０１は、投入口１０２から投入された鍋１１を、噴射ノズル１３２と干渉させることなく鍋保持部１２１に案内する案内部１２２ｂを備えるので、鍋保持部１２１に対する鍋１１のセット作業の作業性を向上させることができ、噴射ノズル１３２や鍋１１の損傷防止も図られる。
【００４４】
本実施の形態の鍋洗浄装置１０１は、ハウジング１０４に設けられた確認窓１１０と、確認窓１１０に連絡し、鍋保持部１２１に保持された鍋１１の調理面１５に噴射されて落下する使用済みの洗浄液を受け止めて外部に排水する排水受け１４２と、確認窓１１０を介して排水受け１４２に着脱自在の濾し器１１１とを備える。
したがって鍋１１の調理面１５から脱落した残菜を濾し器１１１で捕捉し、鍋洗浄装置１０１が設置される施設の排水口などの排水設備に残菜が流れることを抑制することができる。
このとき確認窓１１０から濾し器１１１に溜まった残菜を視覚的に確認することができるので、濾し器１１１から残菜を取り出すべき時期を作業者に容易に知らせることが可能となる。
しかも濾し器１１１は、奥側よりも手前側が下がった傾斜状態で排水受け１４２に配置されるので、濾し器１１１に溜まった残菜をより見やすくすることができ、作業者の負担を軽減することができる。
【００４５】
本実施の形態の鍋洗浄装置１０１は、鍋保持部１２１への鍋１１のセットを検出する検出部１６１と、検出部１６１が鍋１１のセットを検出すると、洗浄部１３１に洗浄動作を実行させる制御部１５１とを備える。
したがって鍋１１を投入口１０２に投入し、鍋保持部１２１にセットするだけで、特別な操作を必要とすることなく鍋１１の洗浄動作を開始させることができ、作業者の作業負担をより一層減らすことができる。
しかも制御部１５１は、鍋１１の洗浄完了を推定して洗浄部１３１の洗浄動作を停止するので、鍋１１を投入口１０２に投入して鍋保持部１２１にセットすること以外、一切の作業を要求されることなく鍋１１を洗浄することができるので、作業者の作業負担の大幅な削減が達成される。
【００４６】
本実施の形態の鍋洗浄装置組込み調理台２０１は、調理台２０２と、調理台２０２の下方に配置された鍋洗浄装置１０１とを備え、調理台２０２の下面と鍋洗浄装置１０１の投入口１０２との間に、鍋１１を投入するための距離Ｌが確保されている。
したがって調理台２０２で鍋１１を用いた調理を完了したならば、使用済みの鍋１１を直ちに鍋洗浄装置１０１で洗浄することができ、作業の効率化を図ることができる。
【００４７】
６．変形例
実施に際しては、各種の変形や変更が可能である。
【００４８】
例えば噴射ノズル１３２の噴射角度は、１２０度に限らず、１１８度や１１９度、あるいは１２１度や１２２度など、その前後の角度に設定されていても良い。また１１５度や１１０度と、１２０度から離れた角度の噴射角度に設定された噴射ノズル１３２を用いることも差し支えない。
あるいは鍋保持部１２１に保持された鍋１１と噴射ノズル１３２とを相対的に移動可能な機構を設けるのであれば、９０度や４５度など、より狭い噴射角度に設定された噴射ノズル１３２を用いることも可能である。
【００４９】
また噴射ノズル１３２から強制的に洗浄液を噴射させる圧力ポンプなどの構造物を設けてもよく、この場合には鍋１１の調理面１５と噴射ノズル１３２の噴射口１３２ａとの間の距離をより遠くに離すことできる。このような場合には噴射ノズル１３２からの洗浄液の噴射範囲が拡がるため、より狭い噴射角度に設定された噴射ノズル１３２を用いたとしても、鍋保持部１２１に保持された鍋１１と噴射ノズル１３２とを相対的に移動させる機構が不要となる。
【００５０】
洗浄液として用いるものは、必ずしも水道水である必要はない。洗剤を混ぜた水やお湯を貯めておき、これを洗浄液として用いることも可能である。
【００５１】
本実施の形態では、鍋保持部１２１への鍋１１のセットを検出部１６１によって検出し、電磁弁１７１を駆動制御して噴射ノズル１３２に至る流路ＷＰを開き、噴射ノズル１３２から水道水を洗浄液として噴射させるようにしたが、こうした自動制御は必須ではない。検出部１６１や制御部１５１を設けず、電磁弁１７１を手動の開閉弁としてもよい。この場合、作業者は、鍋保持部１２１に鍋１１をセットしたら開閉弁を開き、噴射ノズル１３２から水道水を洗浄液として噴射させて調理面１５を洗浄する。
【００５２】
その他、あらゆる変形や変更が可能である。
【符号の説明】
【００５３】
１１  ・・・鍋
１３  ・・・調理面（鍋の内面）
１０２  ・・・投入口
１０４  ・・・ハウジング
１１０  ・・・確認窓
１１１  ・・・濾し器
１２１  ・・・鍋保持部
１２２ｂ・・・案内部
１３１  ・・・洗浄部
１３２  ・・・噴射ノズル
１４２  ・・・排水受け
１５１  ・・・制御部
１６１  ・・・検出部
１７１  ・・・電磁弁（開閉弁）
２０１  ・・・調理台
ＷＰ  ・・・流路
【図１】
2018068864.tif 000003
【図２】
2018068864.tif 000004
【図３】
2018068864.tif 000005
【図４】
2018068864.tif 000006
【図５】
2018068864.tif 000007
【図６】
2018068864.tif 000008
【図７】
2018068864.tif 000009
【図８】
2018068864.tif 000010
【図９】
2018068864.tif 000011